【手続補正書】
【提出日】平成17年5月11日(2005.5.11)
【手続補正１】
【補正対象書類名】特許請求の範囲
【補正対象項目名】全文
【補正方法】変更
【補正の内容】
【特許請求の範囲】
【請求項１】
部材の中にねじ式デバイスを回すための適応装置であって、
上記装置は、
回転するドライビングビットと、
部材特性に関連する第１の量を感知するためのセンサと、
上記第１の量の感知された値を蓄積するためのメモリ手段と、
センサにより感知された値を公知データと比較して処理し、部材の特性を表し、ねじ式デバイスの安全且つ実効的な勘合が達成されるシャットオフ状況を決定するフィードバック構成と、
を含み、上記シャットオフ状況に達すると上記フィードバック構成が上記ドライビングビットの回転を停止することを特徴とする適応装置。
【請求項２】
センサにより感知される値の処理が連続して実施されることを特徴とする請求項１に記載の適応装置。
【請求項３】
ねじ式デバイスの頭部と部材との間の接触が上記装置により自動的に検出され、上記第１の量の当初の値が上記接触の前に感知されることを特徴とする請求項１又は２に記載の適応装置。
【請求項４】
ねじ式デバイスの頭部と部材との間の上記接触が、上記第１の量を感知することにより検出されることを特徴とする請求項３に記載の適応装置。
【請求項５】
部材に穴を開けるためのドリルビットを更に含み、
上記ねじ式デバイスは上記ドリルビットにより形成されるホールの中に回し込まれ得ることを特徴とする先行する請求項のうちいずれか一つに記載の適応装置。
【請求項６】
上記センサが上記穴あけの間に上記第１の量を感知しねじを回す間に感知される上記第１の量の補充値とし、
上記穴あけの間に感知される上記第１の量の後続の値が上記穴あけの間に上記蓄積手段内に蓄積され、
上記フィードバック機構はこれらの値を公知データと比較して処理し、部材の特性を表し、ねじ式デバイスの部材内での安全且つ実効的な勘合が達成されるシャットオフ状況を決定することを特徴とする請求項５に記載の適応装置。
【請求項７】
第２の量を感知するための更なるセンサを含み、
上記第２の量の後続の値が上記メモリ手段に蓄積され、上記第１の量の値と組み合わせて公知のデータと比較して処理され、部材の特性を表し、上記シャットオフ状況を決定することを特徴とする先行する請求項のうちのいずれか一つに記載の適応装置。
【請求項８】
第２の量が、ドリルビット又はドライビングビットのいずれかの角度回転であることを特徴とする請求項７に記載の適応装置。
【請求項９】
第２の量が、部材内のねじ式デバイスの軸変位であることを特徴とする請求項７に記載の適応装置。
【請求項１０】
回転するドライビングビットがモータで動かされ、フィードバック構成が一つ又はそれ以上のセンサにより感知される量を処理し締め過ぎを回避するためにモータの回転を制御することを特徴とする先行する請求項のうちのいずれか一つに記載の適応装置。
【請求項１１】
上記第１の量が、部材によりねじ式デバイスに作用する抵抗トルクの量である、若しくはそれに関連するものであることを特徴とする先行する請求項のうちのいずれか一つに記載の適応装置。
【請求項１２】
上記第１の量が適応装置のモータの電流であることを特徴とする先行する請求項のうちのいずれか一つに記載の適応装置。
【請求項１３】
回転するドライビングビットが空気式で駆動され、上記第１の量が圧力若しくは圧力に関連するものであり、制御が調整器によりなされることを特徴とする請求項１〜１０のうちいずれか一つに記載の適応装置。
【請求項１４】
第１の量がドリルビット若しくはドライビングビットへの軸力であることを特徴とする請求項１〜１０のうちいずれか一つに記載の適応装置。
【請求項１５】
自納式であり、ハンドヘルドの形態で携帯可能であることを特徴とする先行する請求項のうちのいずれか一つに記載の適応装置。
【請求項１６】
ねじ式デバイスがねじであることを特徴とする先行する請求項のうちのいずれか一つに記載の適応装置。
【請求項１７】
フィードバック構成が、部材の表面へのねじ式デバイス頭部の接触の前に感知される上記第１の量の値の大きさを種々の部材タイプに対する公知データと比較して適切な公知データのセットを分離することにより、部材の特性を表し、
シャットオフ状況が、適切な公知データのセットから予想される破壊閾値を突きとめ安全係数をその予想される破壊閾値にあてがうことにより、決定されることを特徴とする先行する請求項のうちのいずれか一つに記載の適応装置。
【請求項１８】
部材の中にねじ式デバイスを回す方法であって、
回転するドライビングビットにより上記部材の中にねじ式デバイスを回すステップと、
上記部材の部材特性に係る第１の量を感知するステップと、
上記第１の量の感知された値を蓄積するステップと、
部材の特性を表し、部材の中へのねじ式デバイスの安全且つ実効的な勘合が達せられるシャットオフ状況を決定するために、公知のデータと比較してセンサにより感知される値を処理するステップと、
上記シャットオフ状況が達せられたとき上記ドライビングビットの回転を止めるステップと、
を含むねじ式デバイスを回す方法。
【請求項１９】
処理するステップが連続して実施される、請求項１８に記載のねじ式デバイスを回す方法。
【請求項２０】
ねじ式デバイスの頭部と部材の表面との間の接触を自動的に検出するステップと、
上記の接触の前に上記第１の量の当初の値を感知するステップと、
を更に含む請求項１８又は１９に記載のねじ式デバイスを回す方法。
【請求項２１】
上記第１の量を感知することにより、ねじ式デバイスの頭部と部材との間の接触を自動的に検出するステップを更に含む請求項１８〜２０のうちのいずれか一つに記載のねじ式デバイスを回す方法。
【請求項２２】
形成されるホールの中に上記ねじ式デバイスが回し込まれ得るように上記部材に穴を開けるステップを更に含む請求項１８〜２１のうちのいずれか一つに記載のねじ式デバイスを回す方法。
【請求項２３】
上記穴あけの間に上記第１の量の後続の値を感知しねじを回す間に感知される上記第１の量の補充値とするステップと、
これらの感知された値を蓄積するステップと、
部材の特性を表し、部材の中へのねじ式デバイスの安全且つ実効的な勘合が達成されるシャットオフ状況を決定するために、上記穴あけの間に感知される値を公知データと比較して処理するステップと、
を更に含む請求項２２に記載のねじ式デバイスを回す方法。
【請求項２４】
第２の量を感知するステップと、
上記第２の量の後続の値を蓄積するステップと、
部材の特性を表し、上記シャットオフ状況を決定するために、上記第１の量の値と組み合わせて公知のデータと比較して上記第２の量の値を処理するステップと、
を更に含む請求項１８〜２３のうちのいずれか一つに記載のねじ式デバイスを回す方法。
【請求項２５】
第２の量がドライビングビットの角度回転である、請求項２４に記載のねじ式デバイスを回す方法。
【請求項２６】
第２の量が部材の中でのねじ式デバイスの軸変位である、請求項２４に記載のねじ式デバイスを回す方法。
【請求項２７】
上記第１の量が、部材によりねじ式デバイスに作用する抵抗トルクの量である、若しくはそれに関連するものであることを特徴とする請求項１８〜２６のうちのいずれか一つに記載のねじ式デバイスを回す方法。
【請求項２８】
上記第１の量が回転するドライビングビットを操作する電気モータの電流であることを特徴とする請求項１８〜２７のうちのいずれか一つに記載のねじ式デバイスを回す方法。
【請求項２９】
第１の量がドライビングビットへ部材により作用する軸力であることを特徴とする請求項１８〜２６のうちのいずれか一つに記載のねじ式デバイスを回す方法。
【請求項３０】
回転するドライビングビットが空気式で駆動され、上記第１の量が圧力若しくは圧力に関連するものであり、制御が調整器によりなされることを特徴とする請求項１８〜２６のうちのいずれか一つに記載のねじ式デバイスを回す方法。
【請求項３１】
部材の表面へのねじ式デバイス頭部の接触の前に感知される上記第１の量の値の大きさを種々の部材タイプに対する公知データと比較して適切な公知データのセットを分離することにより、部材の特性を表すステップと、
適切な公知データのセットから予想される破壊閾値を突きとめ安全係数をその予想される破壊閾値にあてがうことにより、シャットオフ状況を決定するステップと、
を更に含む求項１８〜３０のうちのいずれか一つに記載のねじ式デバイスを回す方法。
【請求項３２】
部材が骨であることを特徴とする請求項１〜１７のうちのいずれか一つに記載の適応装置。
【請求項３３】
部材が歯部材であることを特徴とする請求項１〜１７のうちのいずれか一つに記載の適応装置。
【請求項３４】
部材が木材であることを特徴とする請求項１〜１７のうちのいずれか一つに記載の適応装置。
【請求項３５】
部材が合成物であることを特徴とする請求項１〜１７のうちのいずれか一つに記載の適応装置。
【請求項３６】
部材が骨であることを特徴とする請求項１８〜３１のうちのいずれか一つに記載のねじ式デバイスを回す方法。
【請求項３７】
部材が歯部材であることを特徴とする請求項１８〜３１のうちのいずれか一つに記載のねじ式デバイスを回す方法。
【請求項３８】
部材が木材であることを特徴とする請求項１８〜３１のうちのいずれか一つに記載のねじ式デバイスを回す方法。
【請求項３９】
部材が合成物であることを特徴とする請求項１８〜３１のうちのいずれか一つに記載のねじ式デバイスを回す方法。
【請求項４０】
部材の本体に対してねじ式デバイスを回すための適応装置であって、
上記装置は、
回転するドライビングビットと、
本体の部材特性に関連する第１の量を感知するためのセンサと、
上記第１の量の感知された値を蓄積するためのメモリ手段と、
センサにより感知された値を公知データと比較して処理し、本体の部材の特性を表し、部材に対するねじ式デバイスの安全且つ実効的な勘合が達成されるシャットオフ状況を決定するフィードバック構成と、
を含み、上記シャットオフ状況に達すると上記フィードバック構成が上記ドライビングビットの回転を停止することを特徴とする適応装置。
【請求項４１】
部材の本体に対してねじ式デバイスを回す方法であって、
回転するドライビングビットにより上記部材に対してねじ式デバイスを回すステップと、
上記本体の部材特性に係る第１の量を感知するステップと、
上記第１の量の感知された値を蓄積するステップと、
上記本体の部材の特性を表し、部材へのねじ式デバイスの安全且つ実効的な勘合が達せられるシャットオフ状況を決定するために、公知のデータと比較してセンサにより感知される値を処理するステップと、
上記シャットオフ状況が達せられたとき上記ドライビングビットの回転を止めるステップと、
を含むねじ式デバイスを回す方法。
【手続補正２】
【補正対象書類名】明細書
【補正対象項目名】発明の名称
【補正方法】変更
【補正の内容】
【発明の名称】部材の中にねじ式デバイスを回すための適応装置
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
［発明の概要］
本発明の一つの実施形態によると、部材の中にねじ式デバイスを回すための適応装置が提供される。該装置は、回転するドライビングビットと、部材特性に関連する第１の量を上記の回す期間に感知するためのセンサと、上記第１の量の感知された値を蓄積するためのメモリ手段と、センサにより感知された値を公知データと比較して処理し、部材の特性を表し、ねじ式デバイスの安全且つ実効的な勘合が達成されるシャットオフ状況を決定するフィードバック構成とを含み、上記シャットオフ状況に達すると上記フィードバック構成が上記ドライビングビットの回転を停止する。
【手続補正５】
【補正対象書類名】明細書
【補正対象項目名】００１９
【補正方法】変更
【補正の内容】
【００１９】
本発明の別の実施形態によると、部材の中にねじ式デバイスを回す方法が提示される。上記方法は、回転するドライビングビットにより上記部材の中にねじ式デバイスを回すステップと、上記部材の部材特性に係る第１の量を上記の回す期間に感知するステップと、上記第１の量の感知された値を蓄積するステップと、部材の特性を表し、部材の中へのねじ式デバイスの安全且つ実効的な勘合が達せられるシャットオフ状況を決定するために、公知のデータと比較してセンサにより感知される値を処理するステップと、上記シャットオフ状況が達せられたとき上記ドライビングビットの回転を止めるステップとを含む。
【手続補正６】
【補正対象書類名】明細書
【補正対象項目名】００３１
【補正方法】変更
【補正の内容】
【００３１】
好ましくは、部材が骨である。別の実施形態では、部材が木材である。更に別の実施形態では、部材が合成物（非生体）である。更に別の実施形態では、部材が歯部材である。
本発明の別の実施形態では、部材の本体に対してねじ式デバイスを回すための適応装置が開示される。該装置は、回転するドライビングビットと、本体の部材特性に関連する第１の量を感知するためのセンサと、上記第１の量の感知された値を蓄積するためのメモリ手段と、センサにより感知された値を公知データと比較して処理し、本体の部材の特性を表し、部材に対するねじ式デバイスの安全且つ実効的な勘合が達成されるシャットオフ状況を決定するフィードバック構成とを含み、上記シャットオフ状況に達すると上記フィードバック構成が上記ドライビングビットの回転を停止する。
本発明の別の実施形態では、部材の本体に対してねじ式デバイスを回す方法が提示される。該方法は、回転するドライビングビットにより上記部材に対してねじ式デバイスを回すステップと、上記本体の部材特性に係る第１の量を感知するステップと、上記第１の量の感知された値を蓄積するステップと、上記本体の部材の特性を表し、部材へのねじ式デバイスの安全且つ実効的な勘合が達せられるシャットオフ状況を決定するために、公知のデータと比較してセンサにより感知される値を処理するステップと、上記シャットオフ状況が達せられたとき上記ドライビングビットの回転を止めるステップとを含む。
［好適な実施の形態の詳細な説明］